(57)【要約】【課題】ＰＣの画像とＳＣＡＲＴ端子を有する映像機器の画像を同時に投写することが可能な投写装置等を提供すること。【解決手段】プロジェクタ１００が、アダプタを介してＳＣＡＲＴ端子３１０からの画像信号に含まれるＲＧＢ信号をＤ端子１１２を介して入力するとともに、映像入力端子１１４を介して前記画像信号に含まれる同期信号を入力する画像信号入力部１１０と、前記ＲＧＢ信号と、前記同期信号とに基づき、画像情報を生成する画像情報生成部１４０と、前記画像情報に基づき、画像を投写する投写部１５０とを含んで構成される。【選択図】図１
2007318484.tif 000002
【特許請求の範囲】
【請求項１】
Ｄ端子と、映像入力端子とを有する投写装置であって、
画像信号を出力する画像出力装置のＳＣＡＲＴ端子と接続可能な第１の端子と、前記Ｄ端子と接続可能な第２の端子と、前記映像入力端子と接続可能な第３の端子とを有するアダプタを介して前記画像信号を入力する画像信号入力部と、
ＲＧＢ信号と、同期信号とに基づき、画像情報を生成する画像情報生成部と、
前記画像情報に基づき、画像を投写する投写部と、
を含み、
前記画像信号入力部は、前記画像信号に含まれる前記ＲＧＢ信号を入力する前記Ｄ端子と、前記画像信号に含まれる前記同期信号を入力する前記映像入力端子とを含み、
前記画像情報生成部は、前記Ｄ端子を介して入力された前記ＲＧＢ信号と、前記映像入力端子を介して入力された前記同期信号とに基づき、前記画像情報を生成することを特徴とする投写装置。
【請求項２】
請求項１記載の投写装置において、
信号分離部を含み、
前記映像入力端子には、前記同期信号またはコンポジット信号が入力され、
前記信号分離部は、前記映像入力端子に前記同期信号が入力された場合は当該同期信号を前記画像情報生成部に出力し、前記映像入力端子に前記コンポジット信号が入力された場合は当該コンポジット信号を色信号と同期信号とに分離して前記画像情報生成部に出力することを特徴とする投写装置。
【請求項３】
請求項１、２のいずれかに記載の投写装置において、
ユーザーからの通常モードまたはＳＣＡＲＴモードを示す設定情報を入力する設定情報入力部を含み、
前記画像情報生成部は、前記設定情報が通常モードを示す場合は前記Ｄ端子を介して入力された色差信号に基づき、前記画像情報を生成し、前記設定情報がＳＣＡＲＴモードを示す場合は前記Ｄ端子を介して入力された前記ＲＧＢ信号と、前記映像入力端子を介して入力された前記同期信号とに基づき、前記画像情報を生成することを特徴とする投写装置。
【請求項４】
請求項１に記載の投写装置において、
前記画像信号入力部は、ＰＣからの画像信号であるＰＣ信号を入力するＰＣ入力端子を含み、
前記画像情報生成部は、前記Ｄ端子を介して入力された前記ＲＧＢ信号と、前記映像入力端子を介して入力された前記同期信号と、前記ＰＣ信号とに基づき、前記画像出力装置からの画像と、前記ＰＣからの画像とを含む画像を投写するための画像情報を生成することを特徴とする投写装置。
【請求項５】
請求項１〜４のいずれかに記載の前記投写装置と、前記アダプタとを含む画像表示システム。
【請求項６】
請求項５に記載の画像表示システムにおいて、
前記第１の端子は、前記ＳＣＡＲＴ端子から前記ＲＧＢ信号および前記同期信号を入力可能に形成され、
前記第２の端子は、前記第１の端子を介して入力される前記ＲＧＢ信号を前記Ｄ端子に出力可能に形成され、
前記第３の端子は、前記第１の端子を介して入力される前記同期信号を前記映像入力端子に出力可能に形成されていることを特徴とする画像表示システム。
【発明の詳細な説明】
【技術分野】
【０００１】
本発明は、ＳＣＡＲＴ端子を介して画像信号を入力する投写装置および画像表示システムに関する。
【背景技術】
【０００２】
欧州では、映像機器の接続にＳＣＡＲＴ（Syndicat des Constructeurs d'Appareils Radiorecepteurs et Televiseurs）端子を有するケーブルが使用される場合が多く、映像機器の製造業者は、欧州向けの映像機器にはＳＣＡＲＴ入力端子を装備する必要があった。
【０００３】
また、ＳＣＡＲＴ端子は、欧州以外ではほとんど使用されていないため、従来、製造業者は、欧州用の映像機器と欧州以外用の映像機器で入力端子が異なる映像機器を製造する必要があった。
【０００４】
このような場合、映像機器の本体は変えずに変換アダプタを用いてＳＣＡＲＴ端子を接続する手法が考えられる。例えば、特許文献１では、ＳＣＡＲＴ端子用のアダプタが記載されている。
【０００５】
また、非特許文献１の２２ページでは、ＳＣＡＲＴ端子とＤ−ＳＵＢ端子を接続するケーブルが記載され、非特許文献１の３１ページでは、プロジェクタがＳＣＡＲＴ端子からのＲＧＢ信号入力であることを選択可能であることが記載されている。
【特許文献１】特開２００１−４５３９０号公報
【非特許文献１】キャノン  パワープロジェクターＬＶ−Ｘ４使用説明書＜URL:http://www.canon-sales.co.jp/manual/projector/pdf/lvx4.pdf＞
【発明の開示】
【発明が解決しようとする課題】
【０００６】
しかし、非特許文献１の記載では、内部でどのような処理が実行されているか不明である上、ＲＧＢ端子の一種であるＳＣＡＲＴ端子からのＲＧＢ信号を、ＲＧＢ端子の一種であるＤ−ＳＵＢ端子に入力しているに過ぎない。
【０００７】
また、例えば、Ｄ−ＳＵＢ端子はＰＣからのＲＧＢ信号を入力するための端子であるため、非特許文献１のプロジェクタの場合、ＰＣからのＲＧＢ信号と、ＳＣＡＲＴ端子からのＲＧＢ信号を同時に入力することができない。このため、非特許文献１のプロジェクタの場合、ＰＣの画像とＳＣＡＲＴ端子を有する映像機器の画像を同時に投写することができない。
【０００８】
本発明の目的は、ＰＣの画像とＳＣＡＲＴ端子を有する映像機器の画像を同時に投写することが可能な投写装置および画像表示システムを提供することである。
【課題を解決するための手段】
【０００９】
上記課題を解決するため、本発明に係る投写装置は、Ｄ端子と、映像入力端子とを有する投写装置であって、
画像信号を出力する画像出力装置のＳＣＡＲＴ端子と接続可能な第１の端子と、前記Ｄ端子と接続可能な第２の端子と、前記映像入力端子と接続可能な第３の端子とを有するアダプタを介して前記画像信号を入力する画像信号入力部と、
ＲＧＢ信号と、同期信号とに基づき、画像情報を生成する画像情報生成部と、
前記画像情報に基づき、画像を投写する投写部と、
を含み、
前記画像信号入力部は、前記画像信号に含まれる前記ＲＧＢ信号を入力する前記Ｄ端子と、前記画像信号に含まれる前記同期信号を入力する前記映像入力端子とを含み、
前記画像情報生成部は、前記Ｄ端子を介して入力された前記ＲＧＢ信号と、前記映像入力端子を介して入力された前記同期信号とに基づき、前記画像情報を生成することを特徴とする。
【００１０】
また、本発明に係る画像表示システムは、前記投写装置と、前記アダプタとを含むことを特徴とする。
【００１１】
本発明によれば、投写装置は、ＳＣＡＲＴ端子を介して出力される画像出力装置からの画像信号を、ＲＧＢ信号と、同期信号としてＤ端子と映像入力端子を介して入力し、ＲＧＢ信号と、同期信号に基づいて画像情報を生成することにより、元の画像信号による画像と同様の画像を投写することができる。これにより、投写装置は、ＳＣＡＲＴ端子を介した信号の入力にＤ−ＳＵＢ端子（ＰＣ入力端子）を用いないで済むため、ＰＣの画像とＳＣＡＲＴ端子を有する映像機器の画像を同時に投写することができる。
【００１２】
また、前記投写装置は、信号分離部を含み、
前記映像入力端子には、前記同期信号またはコンポジット信号が入力され、
前記信号分離部は、前記映像入力端子に前記同期信号が入力された場合は当該同期信号を前記画像情報生成部に出力し、前記映像入力端子に前記コンポジット信号が入力された場合は当該コンポジット信号を色信号と同期信号とに分離して前記画像情報生成部に出力してもよい。
【００１３】
これによれば、投写装置は、映像入力端子にコンポジット信号が入力される場合であっても同期信号が入力される場合であっても各信号を適切に処理することができるため、映像入力端子として汎用的な端子を使用することができる。
【００１４】
また、前記投写装置は、ユーザーからの通常モードまたはＳＣＡＲＴモードを示す設定情報を入力する設定情報入力部を含み、
前記画像情報生成部は、前記設定情報が通常モードを示す場合は前記Ｄ端子を介して入力された色差信号に基づき、前記画像情報を生成し、前記設定情報がＳＣＡＲＴモードを示す場合は前記Ｄ端子を介して入力された前記ＲＧＢ信号と、前記映像入力端子を介して入力された前記同期信号とに基づき、前記画像情報を生成してもよい。
【００１５】
これによれば、投写装置は、モードの設定に応じてＤ端子を通常モード用とＳＣＡＲＴモード用とで使い分けることができる。
【００１６】
また、前記画像信号入力部は、ＰＣからの画像信号であるＰＣ信号を入力するＰＣ入力端子を含み、
前記画像情報生成部は、前記Ｄ端子を介して入力された前記ＲＧＢ信号と、前記映像入力端子を介して入力された前記同期信号と、前記ＰＣ信号とに基づき、前記画像出力装置からの画像と、前記ＰＣからの画像とを含む画像を投写するための画像情報を生成してもよい。
【００１７】
これによれば、投写装置は、ＳＣＡＲＴ端子を介して出力される画像出力装置からの画像と、ＰＣからの画像とを含む画像を投写することができる。
【００１８】
また、前記第１の端子は、前記ＳＣＡＲＴ端子から前記ＲＧＢ信号および前記同期信号を入力可能に形成され、
前記第２の端子は、前記第１の端子を介して入力される前記ＲＧＢ信号を前記Ｄ端子に出力可能に形成され、
前記第３の端子は、前記第１の端子を介して入力される前記同期信号を前記映像入力端子に出力可能に形成されていてもよい。
【００１９】
これによれば、アダプタは、信号の変換を行うことなく投写装置に信号を出力することができる。
【発明を実施するための最良の形態】
【００２０】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２１】
図１は、本実施例の画像表示システムの機能ブロック図である。
【００２２】
本実施例の画像表示システムは、投写装置の一種であるプロジェクタ１００と、アダプタ２００とを含んで構成されている。
【００２３】
プロジェクタ１００は、画像信号入力部１１０と、ユーザーからの通常モードまたはＳＣＡＲＴモードを示す設定情報を入力する設定情報入力部１２０と、信号分離部１３０と、ＲＧＢ信号（Ｒ信号、Ｇ信号およびＢ信号）と、同期信号とに基づき、画像情報を生成する画像情報生成部１４０と、画像情報に基づき、画像を投写する投写部１５０とを含んで構成されている。
【００２４】
また、画像信号入力部１１０は、Ｄ端子１１２と、映像入力端子１１４と、ＰＣからの画像信号であるＰＣ信号（例えば、ＲＧＢ信号等）を入力するＰＣ入力端子１１６とを含んで構成されている。
【００２５】
また、アダプタ２００は、第１の端子２１０と、第２の端子２２０と、第３の端子２３０とを含んで構成されている。ここで、第１の端子２１０は、画像データ処理部３２０からの画像信号を出力する画像出力装置の一種であるＤＶＤプレーヤー３００のＳＣＡＲＴ端子３１０と接続される。また、第１の端子２１０は、ＳＣＡＲＴ端子３１０（ＲＧＢ２１ピン端子）からＲＧＢ信号および同期信号を入力可能に形成されている。
【００２６】
また、第２の端子２２０は、第１の端子２１０からのＲＧＢ信号を入力して当該ＲＧＢ信号をＤ端子１１２に出力する。また、第３の端子２３０は、第１の端子２１０からのコンポジット信号を入力して当該コンポジット信号を映像入力端子１１４に出力する。
【００２７】
なお、これらの各部の機能を実装するためのハードウェアとしては以下のものを採用してもよい。
【００２８】
例えば、ＰＣ入力端子１１６としては、Ｄ−ＳＵＢ端子等、設定情報入力部１２０としては、ボタンや赤外リモートコントローラからの情報を入力可能な赤外ポート等、信号分離部１３０、画像情報生成部１４０としては画像処理回路等、投写部１５０としては液晶パネル、光源、液晶駆動ドライバ等を採用してもよい。
【００２９】
また、アダプタ２００としては、例えば、以下の構成を採用してもよい。
【００３０】
図２は、本実施例のアダプタ２００の外観図である。
【００３１】
アダプタ２００は、図２に示すように、アダプタ形状で形成されてもよい。例えば、第１の端子２１０は、ＳＣＡＲＴ端子３１０と接続可能なＳＣＡＲＴ端子であり、第２の端子２２０は、Ｄ端子１１２と接続可能なＤ端子であり、第３の端子２３０は、映像入力端子１１４と接続可能な映像出力端子（いわゆるビデオ端子）である。
【００３２】
より具体的には、第１の端子２１０は、ＳＣＡＲＴ端子３１０からピン番号７の出力Ｂ信号、ピン番号１１の出力Ｇ信号、ピン番号１５の出力Ｒ信号、ピン番号１９の出力同期信号を入力する。そして、第２の端子２２０は、第１の端子２１０に入力された出力Ｂ信号、出力Ｇ信号、出力Ｒ信号を、それぞれ、ＢＹ色差信号（Ｃｂ）、Ｙ信号（輝度信号）、ＲＹ色差信号（Ｃｒ）の出力ピンから出力する。また、第３の端子２３０は、第１の端子２１０に入力された出力同期信号を映像入力端子１１４に出力する。
【００３３】
なお、アダプタ２００は、信号の経路として機能するだけであって、信号を変換したり、信号を処理したりする機能を有する必要はない。
【００３４】
次に、本実施例における画像を投写するまでの処理の流れについて説明する。
【００３５】
図３は、本実施例の画像を投写するまでの処理の流れを示すフローチャートである。
【００３６】
設定情報入力部１２０は、ユーザーの操作（ボタン操作、リモコン操作等）に応じて設定情報を入力する（ステップＳ１）。
【００３７】
そして、設定情報入力部１２０は、設定情報がＳＣＡＲＴモードを示すかどうかを判定し（ステップＳ２）、ＳＣＡＲＴモードを示す場合、画像情報生成部１４０をＳＣＡＲＴモードに設定する（ステップＳ３）。
【００３８】
ＤＶＤプレーヤー３００は、画像データ処理部３２０で生成した画像信号をＳＣＡＲＴ端子３１０を介してアダプタ２００に出力する。この画像信号は、上述したように、Ｒ信号、Ｇ信号、Ｂ信号、同期信号（水平同期信号および垂直同期信号）を含む。
【００３９】
アダプタ２００は、Ｒ信号をＲＹ色差信号として、Ｇ信号をＹ信号として、Ｂ信号をＢＹ色差信号としてＤ端子１１２に出力し、同期信号を映像入力端子１１４に出力する。
【００４０】
信号分離部１３０は、映像入力端子１１４を介して入力された同期信号を画像情報生成部１４０に出力する（ステップＳ４）。
【００４１】
画像情報生成部１４０は、ＳＣＡＲＴモードの場合、Ｄ端子１１２から入力されたＲＹ色差信号をＲ信号として、ＢＹ色差信号をＢ信号として、Ｙ信号をＧ信号として入力するとともに、信号分離部１３０から同期信号を入力する（ステップＳ５）。
【００４２】
そして、画像情報生成部１４０は、入力されたＲ信号、Ｇ信号、Ｂ信号、同期信号に基づき、画像情報を生成する（ステップＳ６）。なお、この画像情報生成処理は、ＳＣＡＲＴ端子を介して入力される画像信号に基づく画像処理と同様の処理である。
【００４３】
投写部１５０は、画像情報生成部１４０によって生成された画像情報に基づき、画像を投写する（ステップＳ７）。
【００４４】
なお、設定情報が通常モードを示す情報である場合、設定情報入力部１２０は画像情報生成部１４０を通常モードに設定し（ステップＳ８）、画像情報生成部１４０は通常の画像処理を実行し（ステップＳ９）、投写部１５０は、画像情報に基づき、画像を投写する（ステップＳ７）。例えば、画像情報生成部１４０は、通常モードの場合、Ｄ端子１１２から入力されるＲＹ色差信号、ＢＹ色差信号、Ｙ信号をそのまま用いて画像情報を生成する。また、画像情報生成部１４０は、通常モードで映像入力端子１１４から画像信号が入力される場合、信号分離部１３０によって分離された色信号と同期信号に基づいて画像情報を生成する。
【００４５】
以上のように、本実施例によれば、プロジェクタ１００は、ＳＣＡＲＴ端子３１０を介して出力されるＤＶＤプレーヤー３００からの画像信号を、ＲＧＢ信号と、同期信号としてＤ端子１１２と映像入力端子１１４を介して入力し、ＲＧＢ信号と、同期信号に基づいて画像情報を生成することにより、元の画像信号による画像と同様の画像を投写することができる。これにより、プロジェクタ１００は、ＳＣＡＲＴ端子３１０を介した信号の入力にＤ−ＳＵＢ端子（ＰＣ入力端子１１６）を用いないで済むため、ＰＣの画像とＳＣＡＲＴ端子３１０を有する映像機器（ＤＶＤプレーヤー３００等）の画像を同時に投写することができる。
【００４６】
また、本実施例によれば、プロジェクタ１００は、モードの設定に応じてＤ端子１１２を通常モード用とＳＣＡＲＴモード用とで使い分けることができる。
【００４７】
また、本実施例によれば、ＳＣＡＲＴ端子３１０のような大型の端子をプロジェクタ１００に設ける必要がなくなるため、プロジェクタ１００の製造コストを低減できる上、プロジェクタ１００を小型化できる。また、本実施例によれば、従来のように販売対象地域ごとにプロジェクタ１００に設ける背面端子を変更する必要がなくなるため、プロジェクタ１００の仕様を共通化することができる。
【００４８】
また、従来の手法では、プロジェクタ１００にＳＣＡＲＴ端子を設ける場合、ＳＣＡＲＴ端子用の信号分離部も設ける必要があったが、本実施例によれば、プロジェクタ１００にＳＣＡＲＴ端子を設ける必要がないため、ＳＣＡＲＴ端子用の信号分離部も設ける必要もない。これにより、プロジェクタ１００の製造コストを低減できる上、プロジェクタ１００を小型化できる。
【００４９】
また、本実施例によれば、Ｄ端子１１２および映像入力端子１１４は汎用的な端子でよい。すなわち、例えば、Ｄ端子１１２に信号が入力されず、映像入力端子１１４にコンポジット信号が入力される場合、信号分離部１３０が、当該コンポジット信号を色信号と同期信号に分離し、画像情報生成部１４０が、色信号と同期信号に基づいて画像情報を生成する。また、Ｄ端子１１２に通常の画像信号が入力される場合、画像情報生成部１４０が、当該画像信号に基づいて画像情報を生成する。
【００５０】
このように、Ｄ端子１１２および映像入力端子１１４として汎用的な端子を使用することができるため、本実施例の機能を実装する場合であってもプロジェクタ１００の製造コストを抑制することができる。
【００５１】
なお、本発明の適用は上述した実施例に限定されず、種々の変形が可能である。
【００５２】
例えば、設定情報入力部１２０に、ＳＣＡＲＴモードの場合には映像入力端子１１４からの信号を画像情報生成部１４０に直接入力し、通常モードの場合には映像入力端子１１４からの信号を信号分離部１３０に入力する経路切り替え機能を設けてもよい。
【００５３】
これによれば、プロジェクタ１００は、ＳＣＡＲＴモードの場合における信号分離処理を省略することができるため、処理をより高速化できる。
【００５４】
また、画像情報生成部１４０は、ＰＣ入力端子１１６からＰＣからの画像信号が入力される場合、Ｄ端子１１２を介して入力されたＲＧＢ信号と、信号分離部１３０によって分離された同期信号と、ＰＣからの画像信号とに基づき、ＤＶＤプレーヤー３００からの画像と、ＰＣからの画像とを含む画像を投写するための画像情報を生成してもよい。
【００５５】
これによれば、プロジェクタ１００は、ＳＣＡＲＴ端子３１０を介して出力されるＤＶＤプレーヤー３００からの画像と、ＰＣからの画像とを含む画像を投写することができる。
【００５６】
また、端子間のピンの対応は上述した実施例に限定されない。例えば、Ｄ端子１１２のＢＹ色差信号に第２の端子２２０からのＲ信号を入力し、Ｄ端子１１２のＲＹ色差信号に第２の端子２２０からのＢ信号を入力してもよい。この場合、画像情報生成部１４０は、ＢＹ色差信号をＲ信号として処理し、ＲＹ色差信号にＢ信号として処理すればよい。
【００５７】
また、本発明の適用は、プロジェクタ１００に限定されず、例えば、プロジェクションＴＶ等の種々の投写装置を採用可能である。また、画像出力装置は、ＤＶＤプレーヤー３００に限定されず、例えば、画像出力用のＳＣＡＲＴ端子を有するハードディスクレコーダー、ビデオ再生装置、ゲーム装置等であってもよい。
【図面の簡単な説明】
【００５８】
【図１】本実施例の画像表示システムの機能ブロック図である。
【図２】本実施例のアダプタの外観図である。
【図３】本実施例の画像を投写するまでの処理の流れを示すフローチャートである。
【符号の説明】
【００５９】
１００  プロジェクタ（投写装置）、１１０  画像信号入力部、１１２  Ｄ端子、１１４  映像入力端子、１１６  ＰＣ入力端子、１２０  設定情報入力部、１３０  信号分離部、１４０  画像情報生成部、１５０  投写部、２００  アダプタ、２１０  第１の端子、２２０  第２の端子、２３０  第３の端子、３００  ＤＶＤプレーヤー（画像出力装置）、３１０  ＳＣＡＲＴ端子、３２０  画像データ処理部
【図１】
2007318484.tif 000003
【図２】
2007318484.tif 000004
【図３】
2007318484.tif 000005